(57)【要約】【課題】  複数設備の設備パラメータを利用した診断、またはある診断の結果を他の診断の入力として使用することを可能とするプラント設備管理装置を実現する。【解決手段】  プラント内で稼動する複数の設備が保持している設備パラメータを取得し、所定の演算を実行する診断処理部を有するプラント設備管理装置において、  複数の設備パラメータを集合させた仮想設備を生成する仮想設備定義部を備え、  前記診断処理部は、前記仮想設備の設備パラメータを診断対象として入力して所定の演算を実行する。【選択図】                    図１
2007279955.tif 000002
【特許請求の範囲】
【請求項１】
プラント内で稼動する複数の設備が保持している設備パラメータを取得し、所定の演算を実行する診断処理部を有するプラント設備管理装置において、
複数の設備パラメータを集合させた仮想設備を生成する仮想設備定義部を備え、
前記診断処理部は、前記仮想設備の設備パラメータを診断対象として入力して所定の演算を実行することを特徴とするプラント設備管理装置。
【請求項２】
前記仮想設備定義部は、前記診断処理部の診断結果を取得して前記仮想設備の設備パラメータとすることを特徴とする請求項１に記載のプラント設備管理装置。
【請求項３】
前記仮想設備定義部は、前記設備パラメータと前記仮想設備の設備パラメータとを集合させた仮想設備を生成することを特徴とする請求項１または２に記載のプラント設備管理装置。
【請求項４】
前記仮想設備定義部は、複数の仮想設備の設備パラメータを集合させた仮想設備を生成することを特徴とする請求項１または２に記載のプラント設備管理装置。
【請求項５】
前記診断処理部は、前記設備の設備パラメータに対応した診断プログラム又は前記仮想設備の設備パラメータに対応した診断プログラムの少なくともいずれかを備えることを特徴とする請求項１乃至４のいずれかに記載のプラント設備管理装置。
【請求項６】
前記設備は上位の階層に、その設備パラメータは下位の階層に管理され、その診断結果は設備パラメータと同一の階層に管理されることを特徴とする請求項１乃至５のいずれかに記載のプラント設備管理装置。
【請求項７】
前記仮想設備は、前記設備と同一の上位の階層に管理され、その設備パラメータ及び診断結果は下位の同一の階層に管理されることを特徴とする請求項１乃至６のいずれかに記載のプラント設備管理装置。
【請求項８】
管理画面に表示される設備パラメータ又は診断結果の少なくともいずれかを選択し、これを、診断プログラムを表すアイコンにドラッグアンドドロップすることにより、診断対象の設備と診断プログラム間の紐付け処理を実行することを特徴とする請求項１乃至７のいずれかに記載のプラント設備管理装置。
【発明の詳細な説明】
【技術分野】
【０００１】
本発明は、プラント内で稼動する複数の設備が保持している設備パラメータを取得し、所定の演算を実行する診断処理部を有するプラント設備管理装置に関するものである。
【背景技術】
【０００２】
プラント内で稼動する複数の設備が保持している設備パラメータを取得し、故障予知診断等を実行するプラント設備管理装置がある。
【０００３】
図４は、分散型制御システムに接続された従来のプラント設備管理装置の構成例を示す機能ブロック図である。１はプラントである。１１，１２，…１ｎは、このプラント内で稼動する複数の設備であり、夫々の設備名をＥ１，Ｅ２，…Ｅｎで示す。設備は、計装機器，回転機器，静止機器等の単体若しくはこれら機器の集合である。
【０００４】
これら設備は、フィールドバス２に接続され、同様にこのフィールドバスに接続された制御装置３と通信して制御される。４は制御バスであり、制御装置３及びこれと通信する操作監視装置５が接続されている。
【０００５】
６は、制御バス４に接続されたプラント設備管理装置である。６１はフィールド通信サーバであり、制御装置３を介してプラント１で稼動している設備が保持している設備パラメータを定周期で収集して設備管理データベース６２に所定期間保持させる。
【０００６】
６３は設備入力部であり、設備管理データベース６２より診断対象の設備Ｅ１，Ｅ２，…Ｅｎの設備パラメータが読み出されてセットされる。６４は診断処理部であり、診断対象の設備Ｅ１，Ｅ２，…Ｅｎに対応した診断プログラムＤ１，Ｄ２，…Ｄｎを備える。
６５は診断出力部であり、診断プログラムＤ１，Ｄ２，…Ｄｎで実行された診断結果Ｒ１，Ｒ２，…Ｒｎが保持される。
【０００７】
６６は診断制御手段であり、設備管理データベース６２，設備入力部６３，診断処理部６４，診断出力部６５と通信して診断工程のシーケンス管理を実行する。６７は、この診断制御手段６６と通信するマンマシン手段であり、６７ａはモニタに表示される管理画面である。
【０００８】
図５は、管理画面６７ａの表示例である。上位階層のフォルダに設備Ｅ１，Ｅ２，…が管理され、夫々のフォルダの下位階層に設備パラメータ並びにその設備に対する診断結果情報が管理される階層構造を示している。この場合、設備パラメータ名称は、そのまま「設備パラメータ名称」で、診断結果名称は、「診断名称・結果パラメータ名称」とする。
【０００９】
特許文献１には、プラント各所に配置されるフィールド機器に対する診断を統合的に管理、実行する機器診断装置が記載されている。
【００１０】
【特許文献１】特開２００３−３１６４２４号公報
【発明の開示】
【発明が解決しようとする課題】
【００１１】
従来のプラント設備管理装置では、次のような問題点がある。
（１）診断のプロセスが設備毎に独立しており、複数の設備を対象とする診断（例えば、設備Ｅ１と設備Ｅ２の両者の設備パラメータを利用した、設備Ｅ１と設備Ｅ２全体に対する診断）を容易に行なうことができない。
【００１２】
（２）ある診断の結果（診断出力）を他の診断の入力として使用することで、より高度な診断を実現できるが、前者と後者の紐付けを容易に行なうことができない。
【００１３】
本発明は上述した問題点を解決するためになされたものであり、複数設備の設備パラメータを利用した診断、またはある診断の結果を他の診断の入力として使用することを可能とするプラント設備管理装置を実現することを目的としている。
【課題を解決するための手段】
【００１４】
このような課題を達成するために、本発明は次の通りの構成になっている。
（１）プラント内で稼動する複数の設備が保持している設備パラメータを取得し、所定の演算を実行する診断処理部を有するプラント設備管理装置において、
複数の設備パラメータを集合させた仮想設備を生成する仮想設備定義部を備え、
前記診断処理部は、前記仮想設備の設備パラメータを診断対象として入力して所定の演算を実行することを特徴とするプラント設備管理装置。
【００１５】
（２）前記仮想設備定義部は、前記診断処理部の診断結果を取得して前記仮想設備の設備パラメータとすることを特徴とする（１）に記載のプラント設備管理装置。
【００１６】
（３）前記仮想設備定義部は、前記設備パラメータと前記仮想設備の設備パラメータとを集合させた仮想設備を生成することを特徴とする（１）または（２）に記載のプラント設備管理装置。
【００１７】
（４）前記仮想設備定義部は、複数の仮想設備の設備パラメータを集合させた仮想設備を生成することを特徴とする（１）または（２）に記載のプラント設備管理装置。
【００１８】
（５）前記診断処理部は、前記設備の設備パラメータに対応した診断プログラム又は前記仮想設備の設備パラメータに対応した診断プログラムの少なくともいずれかを備えることを特徴とする（１）乃至（４）のいずれかに記載のプラント設備管理装置。
【００１９】
（６）前記設備は上位の階層に、その設備パラメータは下位の階層に管理され、その診断結果は設備パラメータと同一の階層に管理されることを特徴とする（１）乃至（５）のいずれかに記載のプラント設備管理装置。
【００２０】
（７）前記仮想設備は、前記設備と同一の上位の階層に管理され、その設備パラメータ及び診断結果は下位の同一の階層に管理されることを特徴とする（１）乃至（６）のいずれかに記載のプラント設備管理装置。
【００２１】
（８）管理画面に表示される設備パラメータ又は診断結果の少なくともいずれかを選択し、これを、診断プログラムを表すアイコンにドラッグアンドドロップすることにより、診断対象の設備と診断プログラム間の紐付け処理を実行することを特徴とする（１）乃至（７）のいずれかに記載のプラント設備管理装置。
【発明の効果】
【００２２】
以上説明したことから明らかなように、本発明によれば次のような効果がある。
（１）複数の設備を集合した仮想設備を定義して、これを一般の設備と同様の診断プログラムにより診断することで、例えば、設備Ｅ１と設備Ｅ２の両者の設備パラメータを利用した、設備Ｅ１と設備Ｅ２全体に対する診断を容易に行なうことが可能となった。
【００２３】
（２）ある設備（仮想設備を含む）の診断結果を、その設備パラメータと同一階層に管理することで、管理画面上でのドラッグアンドドロップ操作により、この診断結果を他の診断プログラムの入力として紐付けする設定を容易に行なうことが可能なった。
【発明を実施するための最良の形態】
【００２４】
以下、本発明を図面により詳細に説明する。図１は、分散型制御システムに接続された本発明のプラント設備管理装置の一実施形態を示す機能ブロック図である。図４で説明した従来装置と同一要素には同一符号を付して説明を省略する。以下、本発明の特徴部につき説明する。
【００２５】
１００は、本発明が適用されたプラント設備管理装置である。フィールド通信サーバ１０１，設備管理データベース１０２，設備入力部１０３，診断処理部１０４，診断出力部１０５，診断制御手段１０６，マンマシン手段１０７の機能は、図４で説明した従来装置の構成要素６１乃至６７の機能と基本的には同一である。
【００２６】
１０８は、本発明の特徴部をなす仮想設備定義部である。この仮想設備定義部１０８は、複数の設備パラメータを集合させた仮想設備Ａを生成する。この仮想設備Ａの設備パラメータは、一般の設備パラメータと同等に扱われ、診断処理部１０４に入力される。
【００２７】
診断処理部１０４は、この仮想設備Ａに対する診断プログラムＤａを備え、この診断プログラムＤａによる診断結果が、診断出力部１０５でＲａとして保持される。仮想設備定義部１０８は、診断出力部１０５から診断結果Ｒａを取得し、仮想設備Ａの設備パラメータとして管理する。
【００２８】
図２は、マンマシン手段１０７の管理画面１０７ａに表示例である。図５で説明した従来の階層管理に追加されて、仮想設備Ａの定義領域で、仮想設備Ａのフォルダが設備Ｅ１，Ｅ２，…のフォルダと同一階層に管理される。
【００２９】
その下位の階層に、集合した設備パラメータ及びこれに追加された診断結果が同一階層で管理される。この場合、設備パラメータ名称は、集合した「設備名称・設備パラメータ名称」で、診断結果名称は、「診断名称・結果パラメータ名称」とする。
【００３０】
この実施形態では、簡単のため、仮想設備Ａとして設備Ｅ１とＥ２の設備パラメータを集合させる場合を例示したが、仮想設備定義部１０８は、設備パラメータと仮想設備の設備パラメータを集合させた仮想設備を生成すること、複数の仮想設備の設備パラメータを集合させた仮想設備を生成することができる。
【００３１】
図３は、診断対象の設備と診断プログラム間の紐付け処理を実行する管理画面の表示例である。管理画面に表示されている設備並びに仮想設備の設備パラメータ又は診断結果の少なくともいずれかをマウス等で選択し、これを、診断プログラムを表すアイコンにドラッグアンドドロップすることにより、選択した診断対象の設備を診断プログラムに入力する設定が自動的に実行される。
【００３２】
本発明では、設備並びに仮想設備の設備パラメータ又は診断結果が全て同一階層に管理されて画面表示されるので、その選択とドラッグアンドドロップ操作が極めてシンプルであり、ユーザは煩雑な入力設定操作をする必要がない。
【図面の簡単な説明】
【００３３】
【図１】分散型制御システムに接続された本発明のプラント設備管理装置の一実施形態を示す機能ブロック図である。
【図２】本発明における管理画面の表示例である。
【図３】診断対象の設備と診断プログラム間の紐付け処理を実行する管理画面の表示例である。
【図４】分散型制御システムに接続された従来のプラント設備管理装置の構成例を示す機能ブロック図である。
【図５】従来装置における管理画面の表示例である。
【符号の説明】
【００３４】
１  プラント
１１，１２，…１ｎ  設備
２  フィールドバス
３  制御装置
４  制御バス
５  操作監視装置
１００  プラント設備管理装置
１０１  フィールド通信サーバ
１０２  設備管理データベース
１０３  設備入力部
１０４  診断処理部
１０５  診断出力部
１０６  診断制御手段
１０７  マンマシン手段
１０７ａ  管理画面
１０８  仮想設備定義部
【図１】
2007279955.tif 000003
【図２】
2007279955.tif 000004
【図３】
2007279955.tif 000005
【図４】
2007279955.tif 000006
【図５】
2007279955.tif 000007